【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
光集線装置を、基幹ファイバとスプリッタと複数の加入者ファイバとを介して、複数の光加入者装置のぞれぞれと接続する光通信網に用いる光集線装置であって、
上位通信システムからの信号を受信するインターフェースと、誤り訂正符号化回路を有して前記受信信号に誤り訂正符号を付加する等、該受信信号の信号処理を行うＰＯＮ信号送受信部と、
前記信号処理後の信号を光信号に変換して前記複数の光加入者装置のそれぞれに送信する光電変換部と、
前記光集線装置全体を制御する制御部とを備え、
前記ＰＯＮ信号送受信部の誤り訂正符号化回路は、
前記受信信号を一時格納する第１のメモリと、
可変長の誤り訂正符号の長さを補償する補正係数を記憶する第２のメモリと、
前記受信信号で用いる誤り訂正符号長に応じて前記第２のメモリから読み出した補正係数を用いて補償したデータを演算する長さ補償演算部と、
前記補償演算部の出力から誤り訂正を行なうチェックビットを演算するチェックビット演算部と、
前記受信信号に前記チェックビットを付加するチェックビット挿入部とを備え、複数の誤り訂正符号長の誤り訂正符号化を実行できる符号化回路であることを特徴とする光集線装置。
【請求項２】
光集線装置を、基幹ファイバとスプリッタと複数の加入者ファイバとを介して、複数の光加入者装置のぞれぞれと接続する光通信網に用いる加入者装置であって、
加入者の通信システムからの信号を受信するインターフェースと、誤り訂正符号化回路を有して前記受信信号に誤り訂正符号を付加する等、該受信信号の信号処理を行うＰＯＮ信号送受信部と、
前記信号処理後の信号を光信号に変換して前記光集線装置に送信する光電変換部と、
前記光集線装置全体を制御する制御部とを備え、
前記ＰＯＮ信号送受信部の誤り訂正符号化回路は、
前記受信信号を一時格納する第１のメモリと、
可変長の誤り訂正符号の長さを補償する補正係数を記憶する第２のメモリと、
前記受信信号で用いる誤り訂正符号長に応じて前記第２のメモリから読み出した補正係数を用いて補償したデータを演算する長さ補償演算部と、
前記補償演算部の出力から誤り訂正を行なうチェックビットを演算するチェックビット演算部と、
前記受信信号に前記チェックビットを付加するチェックビット挿入部とを備え、複数の誤り訂正符号長の誤り訂正符号化を実行できる符号化回路であることを特徴とする光加入者装置。
【手続補正２】
【補正対象書類名】明細書
【補正対象項目名】０００４
【補正方法】変更
【補正の内容】
【０００４】
この様な光アクセスシステムとしては、Ｂ-ＰＯＮ（Broadband PON）、Ａ-ＰＯＮ（ATM PON）、ＧＥ-ＰＯＮ（Giga-bit Ether PON）、Ｇ-ＰＯＮ（Gigabit-capable PON）が知られている。特に、Ｇ-ＰＯＮは、最高速度が上り１.２５Ｇｂｉｔ/ｓ、下り２.５Ｇｂｉｔ/ｓと最も高速で、ＡＴＭ、イーサネット（登録商標）、ＷＤＭプロトコルをサービスするネイティブＧＥＭ（Gigabit-capable Encapsulation Method/G-PON Encapsulation Method）を採用することで、複数のプロトコルをサービスする点で、注目を浴びている。
【手続補正３】
【補正対象書類名】明細書
【補正対象項目名】００１６
【補正方法】変更
【補正の内容】
【００１６】
図２はＯＬＴのブロック図である。幹線ファイバ８からの上り光信号は、光電変換モジュール７１で電気に変換された後、ＯＬＴ ＰＯＮ送受信ブロック７２でＧＥＭ終端される。変換された電気信号は、ＧＥＭ終端によって、イーサネット信号およびＴＤＭ信号に変換される。イーサネット信号とＴＤＭ信号は、それぞれイーサネットＰＨＹ７３およびＴＤＭ ＰＨＹ ７４を介して、ＩＰネットワーク６およびＴＤＭネットワーク７へと送出きれる。
【手続補正４】
【補正対象書類名】明細書
【補正対象項目名】００２０
【補正方法】変更
【補正の内容】
【００２０】
図４はＯＬＴのＰＯＮ送受信ブロックのブロック図である。光電変換モジュール７１からの上りＰＯＮフレーム信号は、ＰＯＮ受信部９０で同期処理とＧＥＭ切り出し処理を行った後に、切り出されたペイロードは、受信ＧＥＭ組立部９１に送信される。受信ＧＥＭ組立部９１は、複数の短期フレームに分割されて送信されたＧＥＭの組み立てを行う。その後、受信ＧＥＭバッファ９２に格納されて、ＯＬＴ受信テーブル９３のテーブル情報に応じて、ＯＬＴ上りイーサネットＧＥＭ終端部９４とＯＬＴ上りＴＤＭ ＧＥＭ終端部９６に振り分けられる。
【手続補正５】
【補正対象書類名】明細書
【補正対象項目名】００２４
【補正方法】変更
【補正の内容】
【００２４】
図５はＯＮＴのＰＯＮ送受信ブロックのブロック図である。光電変換モジュール８１からの下り信号は、ＰＯＮ受信部１２７が受信する。ＰＯＮ受信部１２７は、同期処理、ＧＥＭ切り出し処理を行う。受信ＧＥＭ組立部１２６は、複数の短期フレームに分割されて送信されたＧＥＭの組み立てを行う。組み立てられたＧＥＭは、受信ＧＥＭバッファ１２５に格納されて、ＯＮＴ受信テーブル１２４のテーブル情報に応じて、ＯＮＴ下りイーサネットＧＥＭ終端部１２１とＯＮＴ下りＴＤＭ ＧＥＭ終端部１２３に振り分けられる。ＯＮＴ下りイーサネットＧＥＭ終端部１２１は、ＧＥＭからイーサネットフレームを抜き出す。イーサネットフレームは、ＯＮＴ下りイーサネットインターフェース１２０を介して、イーサネットＰＨＹ８３へ送出される。ＯＮＴ下りＴＤＭ ＧＥＭ終端部１２３は、ＧＥＭからＴＤＭ信号が抜き出し、予め定められたタイミングでＯＮＴ下りＴＤＭインターフェース１２２を介して、ＴＤＭ ＰＨＹ８４へと送出される。
【手続補正６】
【補正対象書類名】明細書
【補正対象項目名】００２６
【補正方法】変更
【補正の内容】
【００２６】
レンジングを要求された場合には、ＰＯＮ受信部１２７で受信したレンジング要求信号をレンジング制御部１２８で処理し、折り返しＰＯＮ送信部１２９を介してレンジング受信信号を送り返す。
なお、ＭＰＵインターフェース１３７は、ＭＰＵ８５の各制御ブロックに対する制御を仲介する。
【手続補正７】
【補正対象書類名】明細書
【補正対象項目名】００３２
【補正方法】変更
【補正の内容】
【００３２】
図８Ｃと図８Ｄにおいて、ＦＥＣコードワードは、２５５バイトの固定長で、先頭バイト＃１から＃２３９までの２３９バイトが情報ワード、＃２４０から＃２５５までの１６バイトがＦＥＣパリティである。また、各２バイトはパラレルな１６ビットである。ただし、ＦＥＣコードワード長は２５５バイト固定なので、奇数番目のＦＥＣコードワードＡ、Ｃ用と、偶数番目のＦＥＣコードワードＢ用の、処理回路が必要となる。なお、１６ビットパラレルのＦＥＣコードワードの先頭または末尾に現れる余分な１バイトを、以下では鍵型と称して説明する。図８Ｃと図８ＤのＦＥＣコードワードは、図８ＢのＦＥＣコードワードに比べ速度を１／２とすることができる。
【手続補正８】
【補正対象書類名】明細書
【補正対象項目名】００５０
【補正方法】変更
【補正の内容】
【００５０】
ＦＥＣフレームトップ識別信号により、ＦＥＣフレームの区切り毎にフリップフロップ２４１とメモリ２４４をクリアし、「０」に初期化する。１サイクルめは、補償後データＩＮＣＨＫ＿ｉ（ｉ＝０〜１５）が加算回路２４３−ｉに入力され、フリップフロップ２４１−(ｉ−１)と固定乗算回路２４２−ｉの出力との排他的論理和が取られる。ここで、加算回路２４３−０は２入力である。固定乗算回路２４２の入力は、フリップフロップ２４１−１５の出力である。２サイクルめで加算回路２４２−ｉの出力がフリップフロップ２４１−ｉに取り込まれ、同時に補償後データＩＮＣＨＫ＿ｉが加算回路２４３−ｉに入力される。これを、ＦＥＣフレームサイズのサイクルだけ繰り返す。次に、各フリップフロップ２４１の出力をメモリ２４４に取り込む。メモリ２４４からの出力は、Ｃｈｋ１５、Ｃｈｋ１４、…、Ｃｈｋ１、Ｃｈｋ０の順である。チェックビットの出力タイミングは、ＦＥＣフレームサイズと、ＦＥＣフレームトップ信号から計算する。また、チェックビット挿入部２５から開始信号をもらっても良い。
【手続補正９】
【補正対象書類名】明細書
【補正対象項目名】００６０
【補正方法】変更
【補正の内容】
【００６０】
図１６において、短縮補償計算部３２は、遅延メモリ２２１Ａと、参照番地計算部２２２Ａと、３２台の乗算回路２２３とから構成される。遅延メモリ２２１Ａは、短縮補償パラメータｘｈ(j)iｘｈ(j+1)i、(i=0-15)を受信して、乗算回路２２３のパラメータがセットされるまでのΔＣＨＫの間、１６ビット並列データを保持する。ここで、jは短縮度である。参照番地計算部２２２Ａは、短縮補償サイズとＦＥＣフレームサイズに対応する短縮補償パラメータテーブルの番地を計算して、当該番地に記録された短縮補償パラメータを要求する。乗算回路２２３は、ＦＥＣフレームトップ識別信号で、一旦リセットしたあと、受信した短縮補償パラメータに基づいて、パラメータ設定する。乗算回路２２３は、パラメータ設定した後、遅延メモリ２２１Ａから上位または下位８ビットの並列データを受信し、乗算演算して、演算結果上位８ビットと下位８ビットのビット毎の排他的論理和を演算し、８ビット×１６、合計１２８ビット並列の補償後データを出力する。
【手続補正１０】
【補正対象書類名】明細書
【補正対象項目名】００６７
【補正方法】変更
【補正の内容】
【００６７】
図２０において、チェックビット挿入部３５は、セレクタ制御部２５１Ａと、２台のセレクタ２５２とから構成される。セレクタ制御部２５１Ａには、エンコード実行指示信号とＦＥＣフレームトップ識別信号とＦＥＣフレームサイズとＦＥＣフレームスタート位置情報とが入力され、セレクタ２５２を制御する。上位側セレクタ２５２−１は、データ格納メモリ３１からのデータ入力である上位８ビット並列信号と、チェックビット計算部３４からのチェックビットである上位８ビット並列信号とを入力とし、セレクタ制御部２５１Aの制御により、入力の一方を出力する。同様に、下位側セレクタ２５２−２は、データ格納メモリ３１からのデータ入力である下位８ビット並列信号と、チェックビット計算部３４からのチェックビットである下位８ビット並列信号とを入力とし、セレクタ制御部２５１Ａの制御により、入力の一方を出力する。
【手続補正１１】
【補正対象書類名】明細書
【補正対象項目名】００８１
【補正方法】変更
【補正の内容】
【００８１】
マトリックスパラメータＢｋの１〜７行目は、１≦ｍ≦７のｍに対して、ｍ＝７から順にｐ＝ｍ＋１として、式６を計算することで得る。なお、式６の「＋」は、排他的論理和である。
【手続補正１２】
【補正対象書類名】明細書
【補正対象項目名】００８３
【補正方法】変更
【補正の内容】
【００８３】
ｗは、マトリックスパラメータＢｋの要素と、ｕとから式７により求める。なお、・は論理積、＋は排他的論理和である。
【手続補正１３】
【補正対象書類名】明細書
【補正対象項目名】００８８
【補正方法】変更
【補正の内容】
【００８８】
１…光集線装置（ＯＬＴ）、２…光加入者装置（ＯＮＴ）、３…スプリッタ、４…ＩＰシステム、５…ＴＤＭシステム、６…ＩＰネットワーク、７…ＴＤＭネットワーク、８…幹線ファイバ、９…加入者ファイバ、１０…光アクセスネットワーク、２１…データ格納メモリ、２２…短縮補償計算部、２３…短縮補償パラメータテーブル、２４…チェックビット計算部、２５…チェックビット挿入部、３１…データ格納メモリ、３２…短縮補償計算部、３３…短縮補償パラメータテーブル、３４…チェックビット計算部、３５…チェックビット挿入部、３６…鍵方補償計算部、７１…光電変換モジュール、７２…ＯＬＴ ＰＯＮ送受信ブロック、７３…イーサネット ＰＨＹ、７４…ＴＤＭ ＰＨＹ、７５…ＭＰＵ、７６…ＲＡＭ、７７…制御系インターフェース、８１…光電変換モジュール、８２…ＯＮＴ ＰＯＮ送受信ブロック、８３…イーサネット ＰＨＹ、８４…ＴＤＭ ＰＨＹ、８５…ＭＰＵ、８６…ＲＡＭ、８７…制御系インターフェース、９０…ＰＯＮ受信部、９１…受信ＧＥＭ組立部、９２…受信ＧＥＭバッファ、９３…ＯＬＴ受信テーブル、９４…ＯＬＴ上りイーサネットＧＥＭ終端部、９５…ＯＬＴ上りイーサネットインターフェース、９６…ＯＬＴ上りＴＤＭ ＧＥＭ終端部、９７…ＯＬＴ上りＴＤＭインターフェース、９８…レンジング制御部、９９…ＰＯＮ送信部、１００…送信ＧＥＭ組立部、１０１…送信ＧＥＭバッファ、１０２…ＯＬＴ送信スケジューラ、１０３…ＯＬＴ下りＴＤＭ ＧＥＭ終端部、１０４…ＯＬＴ下りＴＤＭインターフェースＧＥＭ終端部、１０５…ＯＬＴ下りイーサネットＧＥＭ終端部、１０６…ＯＬＴ下りイーサネットインターフェース、１０７…ＭＰＵ ＩＦ、１２０…ＯＮＴ下りイーサネットインターフェース、１２１…ＯＮＴ下りイーサネットＧＥＭ終端部、１２２…ＯＮＴ下りＴＤＭインターフェース、１２３…ＯＮＴ下りＴＤＭ ＧＥＭ終端部、１２４…ＯＮＴ受信テーブル、１２５…受信ＧＥＭバッファ、１２６…受信ＧＥＭ組立部、１２７…ＰＯＮ受信部、１２８…レンジング制御部、１２９…ＰＯＮ送信部、１３０…送信ＧＥＭ組立部、１３１…ＯＮＴ送信スケジューラ、１３２…送信ＧＥＭバッファ、１３３…ＯＮＴ上りＴＤＭ ＧＥＭ終端部、１３４…ＯＮＴ上りＴＤＭインターフェース、１３５…ＯＮＴ上りイーサネットＧＥＭ終端部、１３６…ＯＮＴ上りイーサネットインターフェース、１３７…ＭＰＵ ＩＦ、２２３…パラメータ可変乗算回路、２４２…固定乗算回路、９０１…デスクランブラ、９０２…フレーム同期部、９０３…ＦＥＣデコーダ、９０４…ＰＯＮフレーム終端部、９０５…暗号デコーダ、９９１…暗号エンコーダ、９９２…ＰＯＮフレーム生成部、９９３…ＦＥＣエンコーダ、９９４…フレーム同期信号挿入部、９９５…スクランブラ。